(57)【要約】【課題】ＤＴＭＦ信号やファクシミリ信号を検出するための受信信号の検出レベル（閾値）を予め設定された閾値から、ＤＴＭＦ信号受信時に一時的に変更できるようにする。【解決手段】通信端末装置１０は、制御部１１と、レベル検出部１３ｄとＤＴＭＦ検出部１３ｂを有するモデム部１３と、を備え、レベル検出部１３ｄにおける受信信号の検出のための閾値をファクシミリ信号の受信に適切な値を設定するように構成され、ＤＴＭＦ検出部１３ｂがＤＴＭＦ信号の受信を検出した場合、レベル検出部１３ｄは受信したＤＴＭＦ信号の受信レベルを判定し、レベル検出部が判定したＤＴＭＦ信号の受信レベルに基づいて、閾値をＤＴＭＦ信号の受信に適切な値に一時的に変更して、ＤＴＭＦ信号を受信し、ＤＴＭＦ信号の受信終了によって閾値をファクシミリ信号の受信に適切な値に戻す。【選択図】図２
2010283585.tif 000002
【特許請求の範囲】
【請求項１】
電話回線網に接続され、音声による通話とファクシミリ通信が可能な通信端末装置であって、ＤＴＭＦ信号により通信端末装置の機能をリモート制御することが可能な通信端末装置において、
前記通信端末装置は、制御部と、レベル検出部とＤＴＭＦ検出部とを有するモデム部と、を備え、
前記通信端末装置は、前記レベル検出部における受信信号の検出のための閾値をファクシミリ信号の受信に適切な値を設定するように構成され、前記ＤＴＭＦ検出部がＤＴＭＦ信号の受信を検出した場合、前記レベル検出部は受信したＤＴＭＦ信号の受信レベルを判定し、前記レベル検出部が判定したＤＴＭＦ信号の受信レベルに基づいて、前記閾値をＤＴＭＦ信号の受信に適切な値に一時的に変更して、ＤＴＭＦ信号を受信し、ＤＴＭＦ信号の受信終了によって前記閾値をファクシミリ信号の受信に適切な値に戻すようになしたことを特徴する通信端末装置。
【請求項２】
前記ＤＴＭＦ信号の受信終了は、予め設定したＤＴＭＦ監視時間に基づいて判別することを特徴とする請求項１に記載の通信端末装置。
【請求項３】
前記ＤＴＭＦ信号の受信終了判定は、所定のＤＴＭＦ信号の最終桁の受信処理を終了したか否かを判定することによって行うことを特徴とする請求項１に記載の通信端末装置。
【発明の詳細な説明】
【技術分野】
【０００１】
本発明は、電話回線を介して外部から受信するＤＴＭＦ（Ｄｕａｌ  Ｔｏｎｅ  Ｍｕｌｔｉ  Ｆｒｅｑｕｅｎｃｙ）信号に基づいて、各種機能をリモート操作することができる通信端末装置、例えば、留守番電話機能などをリモート設定することができるファクシミリ装置などの通信端末装置に関するものである。
【背景技術】
【０００２】
従来より、電話回線を介して外部から受信するＤＴＭＦ信号に基づいて、各種機能をリモート操作することができる通信端末装置が提供されている。例えば、留守番電話機能を有するファクシミリ装置などにおいては、電話回線を介して外部から受信するＤＴＭＦ信号に基づいて、ファクシミリ装置における留守番電話機能などの機能をリモート操作するようにされている。
【０００３】
このような従来のファクシミリ装置においては、リモートコントロール信号であるＤＴＭＦ信号を検出する必要がある。ＤＴＭＦ信号（トーン信号）を検出する構成としては、トランス等の１次−２次分離回路からのトーン信号を１つの増幅器により単一の増幅度で増幅し、増幅した信号をトーン信号検出回路に入力する構成とするのが一般的である。
【０００４】
リモート操作可能なファクシミリ装置などの通信端末装置は、例えば、下記の特許文献１（特開２００１−１８６２９１号公報）や特許文献２（特開平９−５１３８５号公報）に開示されている。
【０００５】
上記特許文献１には、ＤＴＭＦ信号等を用いたリモート操作によって、記録紙受信モードとメモリ受信モードとを切り替えるようにしたファクシミリ装置が開示され、また、特許文献２にはリモートコントロール信号によりリモート操作される通信端末装置において、遠方の端末からのリモートコントロール信号と近接した端末からのリモートコントロール信号を適切に検出できるようにした通信端末装置が開示されている。
【０００６】
上記特許文献１に開示されたファクシミリ装置は、ライン単位で読み取る読取手段と、公衆回線に接続するための回線ｉ／ｆ部と、回線ｉ／ｆに接続され、デジタル画像データを変調し、アナログ信号を出力するモデム手段と、受信画像を蓄積するメモリ手段と、読み取った画像と受信画像とを可視化する可視化手段と、回線からの音声データを解析する音声解析手段と、回線からの着信時に、上記音声解析手段による解析結果に応じて、受信ＦＡＸイメージをメモリに格納するメモリ受信モードと、印字出力してメモリに残さない記録紙受信モードとを切り替える受信モード切替手段と、を備えて構成されたものである。
【０００７】
また、上記特許文献２に開示された通信端末装置は、リモートコントロール信号によりリモート操作される通信端末装置において、受信した信号を増幅器で増幅し、この増幅した信号に基づいてリモートコントロール信号を検出する場合に、近接した端末からリモートコントロール信号を受信するときと、遠方の端末からリモートコントロール信号を受信するときとで、前記増幅器の増幅度を変更して遠方の端末からのリモートコントロール信号と、近接した端末からのリモートコントロール信号とを適切に検出できるように構成されたものである。
【先行技術文献】
【特許文献】
【０００８】
【特許文献１】特開２００１−１８６２９１号公報
【特許文献２】特開平０９−５１３８５号公報
【発明の概要】
【発明が解決しようとする課題】
【０００９】
ところで、従来の電話回線を介して外部からのＤＴＭＦ信号によるリモート操作機能を有する通信端末装置においては、ファクシミリ信号と留守番電話等のリモート操作を行うためのＤＴＭＦ信号の受信感度は、予め両方の受信感度を満足する値を選定して共通の閾値（１つの閾値）を設定し、これらの受信信号の検出を行っているのが一般的である。
【００１０】
上記のように、共通の閾値（１つの閾値）を設定してＤＴＭＦ信号やファクシミリ信号を検出する場合、ファクシミリ通信のために十分に受信感度を確保すると、ＤＴＭＦ信号においては感度が上がり過ぎて受信回路端におけるエコー信号をＤＴＭＦ信号と誤って検出することもあり、ＤＴＭＦ信号の二重検出等の障害が発生する場合がある。
【００１１】
特に、最近では、通信回線の多様化により、回線上にエコーや歪み等の不要な信号の到来や、著しい減衰が発生する等の問題が生じる。例えば、通信端末装置は、アナログ公衆電話網（ＰＳＴＮ）だけでなく、ＩＳＤＮ回線網やＶＯＩＰ網など、種々の回線網に接続されるようになってきている。このため、接続される回線によっては受信信号に著しい減衰が発生し、共通の閾値を設定してＤＴＭＦ信号とファクシミリ信号を検出しようとする場合、両方の検出を満足する閾値の設定が困難になる。
【００１２】
そこで、ＤＴＭＦ信号とファクシミリ信号の双方を検出する共通の閾値として、ファクシミリ信号の受信に十分な閾値を設定しておくと、ＤＴＭＦ信号の検出においては検出感度が上がり過ぎて、回線上のエコーをＤＴＭＦ信号として誤検出し、ＤＴＭＦの二重検出エラーを起こす場合が生じる不都合がある。そのため、ファクシミリ信号の受信感度を落とし、ＤＴＭＦ誤検出の対策を優先しなければならないという問題点があった。そのようにすると今度は、ファクシミリ受信信号の受信に支障をきたすという問題が生じてしまう。
【００１３】
しかしながら、上記特許文献１に開示されたファクシミリ装置は、ＤＴＭＦ信号等を用いたリモート操作によって、記録紙受信モードとメモリ受信モードとを切り替えるようにしたものであり、上記のような問題点を解消する技術は示唆されていない。また、上記特許文献２に開示された通信端末装置は、受信した信号を増幅器で増幅し、この増幅した信号に基づいてリモートコントロール信号を検出する場合に、近接した端末からリモートコントロール信号を受信するときと、遠方の端末からリモートコントロール信号を受信するときとで、増幅器の増幅度を変更してリモートコントロール信号を検出するものであり、上記のような問題点を解消し得るものではなかった。
【００１４】
本願の発明者は上記の問題点を解消すべく種々検討を重ねた結果、電話回線を介して外部からのＤＴＭＦ信号によるリモート操作機能を有し、各種受信信号の検出閾値が一つの閾値設定によって決定される方式のファクシミリ装置において、通常の閾値設定はファクシミリ信号の受信感度を満足する値とし、ＤＴＭＦ信号受信時は、その到達レベル（受信信号レベル）によりＤＴＭＦ検出に適切な検出レベルが得られる閾値に一時的に変更するようになせば、上記の問題点を解消し得ることに想到して本発明を完成するに至ったものである。
【００１５】
すなわち、本発明は、上記の問題点を解消することを課題とし、留守番電話機能などをリモート設定することができるファクシミリ装置などの通信端末装置において、ＤＴＭＦ信号やファクシミリ信号を検出するための受信信号の検出レベル（閾値）を予め設定された閾値から、ＤＴＭＦ信号受信時に一時的に変更できるようにした通信端末装置を提供することを目的とするものである。
【課題を解決するための手段】
【００１６】
前記課題を解決するために、本願の請求項１にかかる発明は、電話回線網に接続され、音声による通話とファクシミリ通信が可能な通信端末装置であって、ＤＴＭＦ信号により通信端末装置の機能をリモート制御することが可能な通信端末装置において、前記通信端末装置は、制御部と、レベル検出部とＤＴＭＦ検出部を有するモデム部と、を備え、前記通信端末装置は、前記レベル検出部における受信信号の検出のための閾値をファクシミリ信号の受信に適切な値を設定するように構成され、前記ＤＴＭＦ検出部がＤＴＭＦ信号の受信を検出した場合、前記レベル検出部は受信したＤＴＭＦ信号の受信レベルを判定し、前記レベル検出部が判定したＤＴＭＦ信号の受信レベルに基づいて、前記閾値をＤＴＭＦ信号の受信に適切な値に一時的に変更して、ＤＴＭＦ信号を受信し、ＤＴＭＦ信号の受信終了によって前記閾値をファクシミリ信号の受信に適切な値に戻すようになしたことを特徴する。
【００１７】
また、本願の請求項２にかかる通信端末装置は、請求項１にかかる通信端末装置において、前記ＤＴＭＦ信号の受信終了は、予め設定したＤＴＭＦ監視時間に基づいて判別することを特徴とする。
また、本願の請求項３にかかる通信端末装置は、請求項１にかかる通信端末装置において、前記ＤＴＭＦ信号の受信終了判定は、所定のＤＴＭＦ信号の最終桁の受信処理を終了したか否かを判定することによって行うことを特徴とする。
【発明の効果】
【００１８】
請求項１にかかる発明においては、通信端末装置は、制御部と、レベル検出部とＤＴＭＦ検出部を有するモデム部と、を備え、レベル検出部における受信信号の検出のための閾値をファクシミリ信号の受信に適切な値を設定するように構成され、ＤＴＭＦ検出部がＤＴＭＦ信号の受信を検出した場合、レベル検出部は受信したＤＴＭＦ信号の受信レベルを判定し、レベル検出部が判定したＤＴＭＦ信号の受信レベルに基づいて、閾値をＤＴＭＦ信号の受信に適切な値に一時的に変更して、ＤＴＭＦ信号を受信し、ＤＴＭＦ信号の受信終了によって閾値をファクシミリ信号の受信に適切な値に戻す。かかる構成によれば、ファクシミリ信号の受信処理を正しく行うことができるとともに、ＤＴＭＦ信号受信時にはエコーによるＤＴＭＦ信号の２重検出を防止することができるようになる。
【００１９】
請求項２、請求項３にかかる発明においては、請求項１にかかる発明において、ＤＴＭＦ信号の受信終了は、予め設定したＤＴＭＦ監視時間に基づいて判別し、あるいは、所定のＤＴＭＦ信号の最終桁の受信処理を終了したか否かを判定することによって行うものであるから、ＤＴＭＦ信号の受信処理終了後には、閾値をファクシミリ信号の受信に適切な値に戻すことができるようになる。
【図面の簡単な説明】
【００２０】
【図１】本発明の実施例にかかる通信端末装置の構成を示すブロック図である。
【図２】図１に示す通信端末装置のモデム部の概略構成を示すブロック図である。
【図３】本発明の実施例にかかる通信端末装置の待機時の概略処理手順を示すフローチャートである。
【図４】本発明の実施例にかかる通信端末装置の状態監視処理の詳細な手順を示すフローチャートである。
【図５】本発明の実施例にかかる通信端末装置の状態監視処理の他の手順を示すフローチャートである。
【発明を実施するための形態】
【００２１】
以下、本発明の具体例を実施例及び図面を用いて詳細に説明する。但し、以下に示す実施例は、本発明の技術思想を具体化するための通信端末装置を例示するものであって、本発明をこの通信端末装置に特定することを意図するものではなく、特許請求の範囲に含まれるその他の実施形態の通信端末装置にも等しく適用し得るものである。
【実施例１】
【００２２】
図１は、本発明の実施例１にかかる通信端末装置の構成を示すブロック図である。通信端末装置１０は、制御部１１、表示・操作部１２、モデム部１３、メモリ部１４、ダイヤラー部１５、ＮＣＵ部１６、スピーチネットワーク部１７、電源部１８などを備えて構成されている。
【００２３】
制御部１１は、マイクロプロセッサを中心に構成され、一般的なコンピュータ装置と同様にＲＯＭなどのメモリを備えており、ＲＯＭに格納されている各種制御プログラムを読み出し、後述するメモリ部１４内の演算用メモリ領域に展開し、該制御プログラムに従って各部の動作を制御する。
【００２４】
表示・操作部１２は、例えば、ＬＣＤや有機ＥＬＤなどのディスプレイパネルなどから構成される表示ユニットと、テンキーや各種機能キーなどを備えた操作ボタンや抵抗膜方式やセンサ方式などのタッチパネルなどから構成される操作ユニットからなり、制御部１１からの制御信号に応じて、ダイヤル入力時の相手先番号など各種の情報が表示される。
【００２５】
また、表示・操作部１２は、操作ボタンから所要の英数字や文字記号を入力したり、タッチパネル上に表示されたキーパッドを指やペンなどで押圧あるいは接触したりすることで相手先番号入力やメモリ部１４に格納されている電話帳データの中からユーザが所望するデータの呼び出しなどの操作指示などを受け付け、その受け付けた各種の操作指示を動作制御信号として制御手段１１へ出力するなどの各種操作が行えるようになっている。
【００２６】
モデム部１３は、ＮＣＵ部１６と接続されており、制御部１１からの制御によりＮＣＵ部を介して通信を行うとともに、発信者電話番号案内サービスなどに用いられる信号を受信して制御部１１に通知する。また、ＮＣＵ部１６を介して送受信されるファクシミリ通信に用いる画情報などの各種信号を変復調する。
【００２７】
メモリ部１４は、制御部１１によって使用される演算用メモリ領域、装置の設定情報や短縮ダイヤルなどの各種データが保存される保存用メモリ領域などからなるフラッシュメモリなどの読み書き可能な不揮発性メモリで構成されている。
【００２８】
ダイヤラー部１５は、制御部１１からの制御により表示・操作部１２のテンキーなどにより入力された電話番号情報に基づいてパルスあるいはＤＴＭＦからなるダイヤル信号を電話回線ＬへＮＣＵ部１６を介して送出させる。ＮＣＵ部１６は、制御部１１からの制御により電話回線Ｌとモデム部１３との接続を制御するために、着信信号をパルス信号に波形整形して着信を検出し、回線の解放・閉結を行い、通信相手を呼び出すためにダイヤラー部１５からのダイヤル信号を送出する。
【００２９】
スピーチネットワーク部１７は、受話器１７ａと接続されており、受話器１７ａのオンフックやオフフックを検出するとともに、受話器１７ａに設けられたスピーカやマイクを介して音声信号の入出力とその増幅などを行い、会話を行うためのものである。電源部１８は、商用電源と接続されており、通信端末装置１０全体に電源供給を行うためのものである。
【００３０】
モデム部１３は、通信端末装置１０を回線に接続し使用する際に、電話回線を通じて送信される信号をＮＣＵ部１６を介して受信し、先ず、最初にトーン検出を行い、回線がトーン回線であるか、パルス回線であるかを判別する。
【００３１】
又、モデム部１３は、回線からの着信後に応答メッセージを回線へ送出し、ＤＴＭＦ信号を検出すると、制御部１１に検出結果を通知し、ＤＴＭＦの各桁の信号の受信処理を行わせ、制御部１１は、受信した４桁のＤＴＭＦ信号に応じた機能、例えば、留守番電話機能への切り替えを行う。また、モデム部１３がファクシミリ信号を検出（発信側がファクシミリ送信していることを示すＣＮＧを検出）すると、制御部１１に検出結果を通知し、ファクシミリの受信処理を行わせる。
【００３２】
モデム部１３は、トーン検出や、ＤＴＭＦ信号やＣＮＧを検出するために、ＮＣＵ部１６を介して受信する信号のレベル（エネルギー）を検出する。本実施例にかかるモデム部１３においては、レベル検出の閾値は、ファクシミリ信号を確実に受信するのに十分な閾値、例えば、−４３．５ｄＢｍに設定されている。
【００３３】
そしてモデム部１３がＤＴＭＦ信号を検出すると、モデム部１３はその受信信号のレベルを検出する。ＤＴＭＦ信号の受信レベルが、例えば、−３５ｄＢｍを超える程度のレベルであれば、モデム部１３は、ＤＴＭＦ信号の少なくとも１桁目が検出されまでの間、レベル検出のための閾値を−４３．５ｄＢｍからＤＴＭＦ信号の検出に十分な適正値、例えば、−３７ｄＢｍに一時的に変更してＤＴＭＦ信号の４桁の受信を行い、受信が完了すると、元の閾値、すなわち、−４３．５ｄＢｍに戻す処理を行う。
【００３４】
このようにＤＴＭＦ信号の受信によりレベル検出の閾値を一時的にＤＴＭＦ信号の受信に必要な適正値に変更することにより、信号の減衰があってもエコーをＤＴＭＦ信号として検出することがなく、且つ、ファクシミリ信号の受信時には、ファクシミリ信号の受信に十分な閾値を用いることができるようになり、受信信号を誤検出することがなくなる。
【００３５】
図２は、図１に示すモデム部１３の概略構成を示す機能ブロック図である。図２の機能ブロック図においては、本発明に関連する機能部分のみを示し、音声帯域の信号を受信した場合の音声通話に必要な機能部分などは省略されている。
【００３６】
図２に示すように、モデム部１３は、トーンを検出するトーン検出部１３ａ、ＤＴＭＦ検出部１３ｂ、ＣＮＧ検出部１３ｃ、レベル検出部ｄなどを備えて構成されている。回線から受信したＤＴＭＦ信号は、ＤＴＭＦ検出部１３ｂにおいてどのようなＤＴＭＦ信号であるかが検出され、更にレベル検出部ｄにおいて、検出されたＤＴＭＦ信号の信号レベルが検出される。同様に、回線から受信したトーン信号は、トーン検出部１３ａにおいてどのようなトーン信号であるかが検出され、更にレベル検出部ｄにおいて、検出されたトーン信号の信号レベルが検出される。ＣＮＧ信号についても同様に、レベル検出部ｄにおいて検出されたＣＮＧ信号の信号レベルが検出される。尚、ＣＮＧは発信側がファクシミリ装置であることを示す所定のパターンの信号（３秒間の休止時間をはさみ１１００Ｈｚの信号が５秒間受信される繰り返し）である。
【００３７】
レベル検出部１３ｄの受信信号検出レベルは、初期状態ではファクシミリ信号を受信するのに適正な値、ここでは、−４３．５ｄＢｍに設定されている。レベル検出部１３ｄは、初期状態においてはこの閾値を用いてＮＣＵ部１６を介して受信する信号のレベルを検出する。
【００３８】
ＣＮＧ検出部１３ｃがファクシミリ信号を検出すると、モデム部１３は、制御部１１に検出結果を通知し、制御部１１にファクシミリ信号の受信処理を行わせる。ＤＴＭＦ検出部１３ｂがＤＴＭＦ信号を検出すると、モデム部１３はレベル検出部１３ｄによって、受信したＤＴＭＦ信号の信号レベルを検出する。ＤＴＭＦ信号の受信レベルが、例えば、−３５ｄＢｍを超える程度のレベルであれば、モデム部１３は、ＤＴＭＦ信号の少なくとも１桁目が検出されまでの間、レベル検出のための閾値を−４３．５ｄＢｍからＤＴＭＦ信号の検出に十分な適正値、例えば、−３７ｄＢｍに一時的に変更してＤＴＭＦ信号の４桁の受信を行い、受信が完了すると、元の閾値、すなわち、−４３．５ｄＢｍに戻す処理を行う。その際、モデム部１３は、ＤＴＭＦ検出部１３ｂの検出結果を制御部１１に通知し、制御部１１に、ＤＴＭＦの桁の信号の受信処理を行わせ、制御部１１は、受信した４桁のＤＴＭＦ信号に応じた機能、例えば、留守番電話機能への切り替えを行う。
【００３９】
次に、図３および図４に示すフローチャートを参照して、以上説明した本発明の実施例にかかる通信端末装置１０の動作手順を説明する。図３は、本発明の実施例にかかる通信端末装置１０の待機時の概略処理手順を示すフローチャートであり、図４は、本発明の実施例にかかる通信端末装置１０の状態監視処理の詳細な手順を示すフローチャートである。
【００４０】
図３に示すフローチャートにおいて、通信端末装置１０は電源が投入されて待機状態になると、ステップＳ１の処理でコールドスタート部分の初期設定を行う。ここでの初期設定は、通信端末装置１０のプロセッサ部分の初期化に必要な各種システム設定を行う。次いで、ステップＳ２の処理に進み、ホットスタート部分の初期設定を行う。ここでの初期設定は、通信端末装置１０の各種アプリケーションの動作に必要なパラメータ（初期値）を設定する処理である。
【００４１】
次いで、通信端末装置１０はステップＳ３の処理で、モデム部１３のレベル検出部１３ｄの検出閾値すなわち、受信レベル（受信感度）の閾値を設定する。ここで設定される閾値は、ファクシミリ信号を受信するのに適正な−４３．５ｄＢｍである。これらの設定が終了すると、通信端末装置１０はステップＳ４の状態監視に入り、イベントの発生を検出する。イベントの発生とは、例えば、ＤＴＭＦ信号の検出やファクシミリ信号の検出、あるいは音声帯域の受信信号の検出などである。イベントの発生が検出されると、ステップＳ５の処理に進み、発生したイベントに応じた処理を行う。
【００４２】
図４は、状態監視処理の手順を示すフローチャートであり、ＮＣＵ部１６を介して電話回線から受信する信号の状態監視を行う処理手順を示している。図４のフローチャートにおいて、ステップＳ２から、ステップＳ２ヘの矢印は、図３のステップＳ２の処理からの移行を、またはステップＳ２の処理への移行を示している。制御部１１は、先ず、回線捕捉か否かを判別する（ステップＳ２１）。ステップＳ２１の判別処理において通信端末装置１０が回線捕捉中でないと判別した場合は（ステップＳ２１のＮＯ）、ステップＳ３０に進み、他の監視ジョブに移行する。
【００４３】
ステップＳ２１の判別処理で、回線捕捉であると判別すると（ステップＳ２１のＹＥＳ）、モデム部１３のレベル検出部１３ｄは、ＮＣＵ部１６を介して電話回線から受信している信号の受信レベルを検出する。このレベル検出の閾値は、図３のステップＳ３で初期設定した−４３．５ｄＢｍである。従って、受信信号がファクシミリ信号であった場合に、これを受信するのに十分な検出レベルが保証される。
【００４４】
次いでモデム部１３のトーン検出部１３ａは、受信信号のトーンを検出する。トーンが検出されない場合（ステップＳ２２のＮＯ）には、ステップＳ３１の処理に進み、他のイベントの監視に移行する。トーンを検出した場合（ステップＳ２２のＹＥＳ）には、ＤＴＭＦ検出部１３ｂは受信信号がＤＴＭＦ信号（１桁目）であるか否かを判定する（ステップＳ２３）。ＤＴＭＦ信号を検出しなければ（ステップＳ２３のＮＯ）、ステップＳ３２の処理に進み、ＣＮＧ検出部１３ｄは受信信号がファクシミリ信号であるか否かを判定する。
【００４５】
ステップＳ３２の判定処理において、受信信号がファクシミリ信号でないと判定された場合（ステップＳ３２のＮＯ）には、ステップＳ３４の処理に進み、他のトーン検出処理に移行する。受信信号がファクシミリ信号と判定された場合（ステップＳ３２のＹＥＳ）には、ステップＳ３３の処理に進みファクシミリの受信を行う。
【００４６】
一方、ステップＳ２３の判定処理でＤＴＭＦを検出した場合（ステップＳ２３のＹＥＳ）には、レベル検出部１３ｄでＤＴＭＦ信号の受信レベルを検出し、ＤＴＭＦ信号の判定レベル以上か否かを判定する（ステップＳ２４）。判定レベル以上でなければ、ステップＳ２６の処理に進み、制御部１１はＤＴＭＦ信号の１桁目の受信処理を行う。
【００４７】
また、ステップＳ２４の判定処理で、ＤＴＭＦ信号が所定の判定レベル以上である場合（ステップＳ２４のＹＥＳ）には、モデム部１３は、レベル検出部１３ｄにおける受信信号検出レベルの閾値をＤＴＭＦ信号受信に適正な値を設定し一時的に変更する（ステップＳ２５）。すなわち、ＤＴＭＦ信号の受信レベルが、−３５ｄＢｍを超える程度のレベルであれば、ＤＴＭＦ信号の検出に十分な適正値、例えば、閾値を−３７ｄＢｍに一時的に変更してＤＴＭＦ信号の受信を行う。
【００４８】
ステップＳ２５の処理の後、モデム部１３は受信信号の検出結果を制御部１１に通知し、制御部１１は、ＤＴＭＦ信号の１桁目の検出処理を行う（ステップＳ２６）。その際、モデム部１３はタイマ部（不図示）を用いてＤＴＭＦ監視の時間を定め、時間監視を行う。監視時間は、少なくともＤＴＭＦ信号の４桁分の検出処理に十分な時間であればよい。また、時間を監視する方法でなく、ＤＴＭＦ信号を４桁受信したか否かを判定する処理であってもよい。
【００４９】
ステップＳ２６の処理の後、モデム部１３はＤＴＭＦ監視時間が終了したか否かを判定する（ステップＳ２７）。ＤＴＭＦ監視時間が終了と判定された場合（ステップＳ２７のＹＥＳ）には、ステップＳ３５の処理に進み、レベル検出部１３ｄの検出閾値を初期化する（−４３．５ｄＢｍに戻す）。ＤＴＭＦ監視時間が終了でないと判定された場合（ステップＳ２６のＮＯ）には、ＤＴＭＦ検出部１３ｂはＤＴＭＦ信号の受信検出を行う（ステップＳ２８）。尚、前記Ｓ２６ステップにおいて、例えば約１０秒程度の桁間監視時間設定を行う。
【００５０】
ステップＳ２８の処理で、ＤＴＭＦ信号を検出しなければステップＳ２７の処理に戻り、ＤＴＭＦ信号を検出すれば、ステップＳ２９の処理に進み、モデム部１３は、受信信号の検出結果を制御部１１に通知し、制御部１１は、ＤＴＭＦ信号の２桁目以降の検出処理を行い（ステップＳ２９）、ステップＳ２７の処理に戻る。モデム部１３は、ＤＴＭＦ信号の４桁の受信、処理が完了するまでステップＳ２７〜ステップＳ２９の処理を繰り返す。
尚、前記Ｓ２９ステップにおいて、例えば約１０秒程度の桁間監視時間設定を行う。
【実施例２】
【００５１】
上記、実施例１の処理においては、ＤＴＭＦ信号の検出手順においてタイマを用いて時間監視を行う（図４のステップＳ２７参照）例を示したが、ＤＴＭＦの４桁の受信を完了したか否かを監視する手順を採ることもできる。図５は、ＤＴＭＦの４桁の受信を完了したか否かを監視する手順を示すフローチャートである。
【００５２】
図５に示すフローチャートにおいて、ステップＳ４１〜ステップＳ４６の処理およびステップＳ５１〜ステップＳ５６の処理は、図４に示すフローチャートのステップＳ２１〜ステップＳ２６の処理およびステップＳ３０〜ステップＳ３５の処理にそれぞれ対応する。図５の手順において、図４の手順と異なるステップＳ４７〜ステップＳ５０の処理について以下に説明する。
【００５３】
すなわち、ステップＳ４６の処理において、ＤＴＭＦ信号の１桁目の検出処理を行うと、ステップＳ４７の処理に進み、ＤＴＭＦ信号の４桁分の処理時間を監視時間として設定した時間監視を行う。監視時間を終了した場合（ステップＳ４７のＹＥＳ）には、ステップＳ５６の処理に進み、レベル検出部１３ｄの検出閾値を初期化する（−４３．５ｄＢｍに戻す）。監視時間が終了でないと判定された場合（ステップＳ４７のＮＯ）には、ＤＴＭＦ検出部１３ｂはＤＴＭＦ信号の受信検出を行う（ステップＳ４８）。
【００５４】
ステップＳ４８の処理で、ＤＴＭＦ信号を検出しなければステップＳ４７の処理に戻り、ＤＴＭＦ信号を検出すれば、ステップＳ４９の処理に進み、モデム部１３は、受信信号の検出結果を制御部１１に通知し、制御部１１は、ＤＴＭＦ信号の２桁目以降の検出処理を行う（ステップＳ４９）。次いで、ステップＳ５０の処理に進み、モデム部１３は、ＤＴＭＦ信号の４桁目までの受信処理を完了したか否かを判定する。
【００５５】
ＤＴＭＦ信号の４桁目までの受信処理を完了していない場合（ステップＳ５０のＮＯ）には、ステップＳ４７の処理に戻り、ＤＴＭＦ信号の４桁目までの受信処理を完了するまでこの処理を繰り返す。ＤＴＭＦ信号の４桁目までの受信処理を完了したと判定した場合（ステップＳ５０のＹＥＳ）には、ステップＳ５６の処理に進み、レベル検出部１３ｄの検出閾値を初期化する（−４３．５ｄＢｍに戻す）。
【００５６】
以上、詳細に説明したように本発明にかかる通信端末装置によれば、ＤＴＭＦ信号やファクシミリ信号を検出するための受信信号検出レベル（閾値）を予め設定された閾値から、ＤＴＭＦ信号受信時に一時的に変更できるようにしたものであるから、ファクシミリ信号の受信処理を正しく行うことができるとともに、ＤＴＭＦ信号受信時にはエコーによるＤＴＭＦ信号の２重検出を防止することができるようになる。
【符号の説明】
【００５７】
１０・・・・通信端末装置
１１・・・・制御部
１２・・・・表示・操作部
１３・・・・モデム部
１４・・・・メモリ部
１５・・・・ダイヤラー部
１６・・・・ＮＣＵ部
１７・・・・スピーチネットワーク部
１８・・・・電源部
１３ａ・・・レベル検出部
１３ｂ・・・トーン検出部
１３ｃ・・・ＤＴＭＦ検出部
１３ｄ・・・ＣＮＧ検出部
【図１】
2010283585.tif 000003
【図２】
2010283585.tif 000004
【図３】
2010283585.tif 000005
【図４】
2010283585.tif 000006
【図５】
2010283585.tif 000007